(57)【要約】【課題】記憶手段の記憶領域を節約できるとともに、ミシンの動作条件を効率よく変更できるミシン制御装置を提供する。【解決手段】ミシン制御装置では、フラッシュメモリに記憶された制御用メモリＳＷ群の内容に従ってミシンの動作を制御する。フラッシュメモリには、設定変更するメモリＳＷのみで構成したメモリＳＷが複数記憶されている。そして制御用メモリＳＷ群の内容を変更する場合、制御用メモリＳＷ群の内容を全て書き換えるのはなく、フラッシュメモリから選択した一のメモリＳＷ群を構成するメモリＳＷに該当する部分だけを変更する。よって、制御用メモリＳＷ群の内容を効率的かつ迅速に変更できる。また、フラッシュメモリに記憶されたメモリＳＷ群は、設定変更したいメモリＳＷのみで構成されているので、フラッシュメモリの記憶領域を節約できる。【選択図】図１３
2008272345.tif 000002
【特許請求の範囲】
【請求項１】
ミシンの複数の動作条件を各々設定する複数のパラメータを、一組のパラメータ群として記憶する第１記憶手段と、
当該第１記憶手段に記憶された前記パラメータ群のうち、設定変更の対象となる一又は二以上の変更対象パラメータで構成された変更パラメータ群を、複数のパターンで記憶する第２記憶手段と、
当該第２記憶手段に記憶された複数の前記変更パラメータ群の中から、一の前記変更パラメータ群を選択する選択手段と、
前記第１記憶手段に記憶された前記パラメータ群のうち、前記選択手段によって選択された前記変更パラメータ群の前記変更対象パラメータに対応する前記パラメータの内容を、前記変更対象パラメータの内容に変更する変更手段と
を備えていることを特徴とするミシン制御装置。
【請求項２】
前記第２記憶手段には、前記変更対象パラメータの組合せが異なる前記変更パラメータ群の複数のパターンが記憶されていることを特徴とする請求項１に記載のミシン制御装置。
【請求項３】
前記変更対象パラメータを任意に設定する設定手段を備えたことを特徴とする請求項１又は２に記載のミシン制御装置。
【請求項４】
前記パラメータ群には、前記ミシンによる縫い始め、又は縫い終わりにおける駆動モータの回転速度を１針毎に各々設定する複数の回転速度パラメータを含み、
前記第２記憶手段には、前記回転速度パラメータに対応する前記変更対象パラメータを含む前記変更パラメータ群が、複数のパターンで各々記憶されていることを特徴とする請求項１乃至３の何れかに記載のミシン制御装置。
【請求項５】
前記選択手段は、前記ミシンの操作を行う操作パネルに設けられていることを特徴とする請求項１乃至４の何れかに記載のミシン制御装置。
【請求項６】
ＩＣタグから識別番号を読み取る識別番号読取手段を備え、
前記第２記憶手段には、複数の前記識別番号に各々対応する複数の変更パラメータ群が記憶され、
前記選択手段は、前記識別番号読取手段によって読み取られた前記識別番号に対応する前記変更パラメータ群を選択することを特徴とする請求項１乃至５の何れかに記載のミシン制御装置。
【発明の詳細な説明】
【技術分野】
【０００１】
本発明は、ミシン制御装置に関し、詳細には、ミシンの動作を制御するミシン制御装置に関する。
【背景技術】
【０００２】
従来より、ミシンの機種変更に伴うミシンの各状態における駆動モータの回転数や、機能を一括して容易に設定できるミシン制御装置が知られている（例えば、特許文献１参照）。このミシン制御装置は、ミシン動作を制御する制御手段と、ミシン動作のための設定値を設定する設定手段と、ミシン動作のための機種ごとの機能あるいは回転速度のデータの設定値を記憶する記憶手段と、ミシン動作のための設定値を表示する表示手段とを備えている。そして、設定手段と表示手段とにより、記憶手段に記憶されたミシンの機種ごとの機能あるいは回転速度のデータを読み出してミシンの動作を制御する。よって、ミシン本体の機種を変更した場合や、異なった機種にミシン制御装置を付け変えた場合でも、ミシンの機種が機種選択手段として設けたスイッチによって限定されることなく、そのミシンに適した回転数や機能、及び様々な設定値を一括して容易に設定することができる。
【特許文献１】特開平６−１９０１７９号公報
【発明の開示】
【発明が解決しようとする課題】
【０００３】
しかしながら、特許文献１に記載のミシン制御装置では、例えば、ミシン本体の機種を変更した場合、そのミシン本体の機種に応じた機能、回転速度のデータが全て読み出され、その読み出されたデータに従って制御が行われる。つまり、変更前と異なるデータのみならず、変更前と同じデータまでもが全て書き換えられてしまう。このことから、記憶手段には、機種毎の機能や、回転速度に関する全データを記憶させなければならないため、記憶手段の記憶領域を必要以上に設けなければならないという問題点があった。また、布地や糸等の縫製アイテムを途中で変更した場合に、回転速度のデータ等を縫製アイテムによって変更することができないので、縫製不良を起こすという問題点もあった。
【０００４】
本発明は、上記課題を解決するためになされたものであり、記憶手段の記憶領域を節約できるとともに、ミシンの動作条件を効率よく変更できるミシン制御装置を提供することを目的とする。
【課題を解決するための手段】
【０００５】
上記目的を達成するために、請求項１に係る発明のミシン制御装置は、ミシンの複数の動作条件を各々設定する複数のパラメータを、一組のパラメータ群として記憶する第１記憶手段と、当該第１記憶手段に記憶された前記パラメータ群のうち、設定変更の対象となる一又は二以上の変更対象パラメータで構成された変更パラメータ群を、複数のパターンで記憶する第２記憶手段と、当該第２記憶手段に記憶された複数の前記変更パラメータ群の中から、一の前記変更パラメータ群を選択する選択手段と、前記第１記憶手段に記憶された前記パラメータ群のうち、前記選択手段によって選択された前記変更パラメータ群の前記変更対象パラメータに対応する前記パラメータの内容を、前記変更対象パラメータの内容に変更する変更手段とを備えている。
【０００６】
また、請求項２に係る発明のミシン制御装置は、請求項１に記載の発明の構成に加え、前記第２記憶手段には、前記変更対象パラメータの組合せが異なる前記変更パラメータ群の複数のパターンが記憶されていることを特徴とする。
【０００７】
また、請求項３に係る発明のミシン制御装置は、請求項１又は２に記載の発明の構成に加え、前記変更対象パラメータを任意に設定する設定手段を備えたことを特徴とする。
【０００８】
また、請求項４に係る発明のミシン制御装置は、請求項１乃至３の何れかに記載の発明の構成に加え、前記パラメータ群には、前記ミシンによる縫い始め、又は縫い終わりにおける駆動モータの回転速度を１針毎に各々設定する複数の回転速度パラメータを含み、前記第２記憶手段には、前記回転速度パラメータに対応する前記変更対象パラメータを含む前記変更パラメータ群が、複数のパターンで各々記憶されていることを特徴とする。
【０００９】
また、請求項５に係る発明のミシン制御装置は、請求項１乃至４の何れかに記載の発明の構成に加え、前記選択手段は、前記ミシンの操作を行う操作パネルに設けられていることを特徴とする。
【００１０】
また、請求項６に係る発明のミシン制御装置は、請求項１乃至５の何れかに記載の発明の構成に加え、ＩＣタグから識別番号を読み取る識別番号読取手段を備え、前記第２記憶手段には、複数の前記識別番号に各々対応する複数の変更パラメータ群が記憶され、前記選択手段は、前記識別番号読取手段によって読み取られた前記識別番号に対応する前記変更パラメータ群を選択することを特徴とする。
【発明の効果】
【００１１】
請求項１に係る発明のミシン制御装置では、第１記憶手段には、ミシンの複数の動作条件を設定するための複数のパラメータが、一組のパラメータ群として記憶されている。また、第２記憶手段には、前記パラメータ群のうち、設定変更をさせたいパラメータのみを集合させてなる変更パラメータ群が、複数のパターンで記憶されている。そして、ユーザがあるパターンでミシンの動作条件を変更させたい場合は、選択手段によって、第２記憶手段に記憶された複数の変更パラメータ群の中から、一の変更パラメータ群が選択される。さらに、変更手段によって、第１記憶手段に記憶されたパラメータ群のうち、選択手段によって選択された変更パラメータ群の変更対象パラメータに対応するパラメータの内容だけが、変更対象パラメータの内容に変更される。つまり、前回と同じ設定のパラメータはそのままで、ユーザが変更させたい変更パラメータ群に該当するパラメータの内容のみを変更させることができる。これにより、設定変更する度に、全てのパラメータを変更しなくて済むので、パラメータの内容変更にかかる時間を短縮することができる。さらに、第２記憶手段には、設定変更にかかるパラメータのみを集合してなる変更パラメータ群をパターン毎に記憶させればよいので、第２記憶手段の記憶領域を節約することができる。
【００１２】
また、請求項２に係る発明のミシン制御装置では、請求項１に記載の発明の効果に加え、第２記憶手段には、変更対象パラメータの組合せが異なる変更パラメータ群の複数のパターンを記憶できるので、ミシンの動作条件の変更パターンについて複数のバリエーションを予め設定することができる。
【００１３】
また、請求項３に係る発明のミシン制御装置では、請求項１又は２に記載の発明の効果に加え、設定手段によって、変更対象パラメータを任意に設定することができる。これにより、例えば、ミシンの動作条件を部分的に変更したい場合、設定手段によって、変更したい動作条件に対応する変更対象パラメータ群を個別に設定することができる。
【００１４】
また、請求項４に係る発明のミシン制御装置では、請求項１乃至３の何れかに記載の発明の効果に加え、パラメータ群には、ミシンによる縫い始め、又は縫い終わりにおける駆動モータの回転速度を１針毎に各々設定する複数の回転速度パラメータが含まれている。これにより、縫い始め、又は縫い終わりにおける針の回転速度を１針毎に変更することができる。一方、第２記憶手段には、回転速度パラメータに対応する変更対象パラメータからなる変更パラメータ群が、複数のパターンで各々記憶されている。これにより、例えば、ユーザの好みや、縫製アイテムの種類によって、回転速度にかかる変更パラメータ群のパターンを各々設けることができる。
【００１５】
また、請求項５に係る発明のミシン制御装置では、請求項１乃至４の何れかに記載の発明の効果に加え、選択手段は、ミシンの操作を行う操作パネルに設けられているので、ミシンの動作条件の変更を容易に行うことができる。
【００１６】
また、請求項６に係る発明のミシン制御装置では、請求項１乃至５の何れかに記載の発明の効果に加え、例えば、ユーザや、縫製アイテムに付設されたＩＣタグの識別番号が、識別番号読取手段によって読み取られる。一方、第２記憶手段には、複数の識別番号に各々対応する複数の変更パラメータ群が記憶されている。そして、識別番号読取手段によって読み取られた識別番号に対応する変更パラメータ群が、選択手段によって選択される。これにより、識別番号読取手段によって読み取られた識別番号に応じて、ミシンの動作条件を変更することができる。
【発明を実施するための最良の形態】
【００１７】
以下、本発明を具体化した一実施形態であるミシン制御装置１０について、図面を参照して説明する。なお、ミシン制御装置１０は、工業用のミシン１の動作を制御するものである。そして、そのミシン１の各動作条件に対応する複数のメモリスイッチ（以下、メモリＳＷとする）を、一組のメモリＳＷ群としてフラッシュメモリ１５に記憶し、そのメモリＳＷ群を構成する各メモリＳＷの内容に従って、ミシン１の動作を制御するものである。ここで、メモリＳＷとは、ミシン１の動作条件を設定するためのソフトウェア的なスイッチを意味する。
【００１８】
はじめに、ミシン１の全体構造について概略的に説明する。図１は、ミシン１の全体斜視図であり、図２は、操作パネル８の正面図である。図１に示すように、ミシン１は、作業台２と、該作業台２上に設けられたベッド部３と、該ベッド部３の右端部に立設された脚柱部４と、該脚柱部４の上端からベッド部３に対向するように左方へ延設されたアーム部５とを主体に構成されている。
【００１９】
ベッド部３の作業者に対向する前面には、シリンダベッド３ａが前方に突出して設けられている。そして、そのベッド部３の内部には、Ｘ軸方向駆動機構（図示外）及びＹ軸方向駆動機構（図示外）が各々設けられている。さらに、そのシリンダベッド３ａ上には、互いに直交するＸ軸、Ｙ軸の２方向に独立移動可能な布押え装置７が設けられている。この布押え装置７は、後述するミシン制御装置１０の指令によって駆動制御されるステッピングモータよりなるＸ軸送りモータ２５（図３参照）によってＸ軸方向に、同様にミシン制御装置１０により駆動制御されるステッピングモータよりなるＹ軸送りモータ２６（図３参照）によってＹ軸方向に、それぞれ移動制御される。
【００２０】
この布押え装置７は、シリンダベッド３ａ上に沿ってＸ軸方向、Ｙ軸方向に移動される送り板（図示外）と、該送り板上に設けられたアーム状の押え腕７ａと、該押え腕７ａの前端部に、上下方向に昇降可能に支持された矩形枠状の布押え板７ｂとを備えている。この布押え板７ｂは、通常、バネ（図示外）による付勢によって、送り板よりも上昇している。そして、押え腕７ａに取り付けられた押えソレノイド（図示外）による付勢によって、そのバネ圧に抗して送り板上に下降される。これにより、縫製対象物である加工布が、布押え板７ｂと送り板（図示外）とによって挟持される。そして、その加工布が布押え装置７に挟持された状態で、ミシンモータ２４（図３参照）を駆動させて、ミシン１の針棒６ａ及びその下端の縫針６ｂを上下動させる。さらに、Ｘ軸送りモータ２５、Ｙ軸送りモータ２６を駆動させ、布押え装置７の位置を制御する。これにより、加工布上に、縫製パターンに沿った縫製を自動的に行うことができる。
【００２１】
また、作業台２上の右奧側には、縫製パラメータ、縫製速度等の各種縫製情報を表示したり、ミシン１の動作条件を設定するための操作パネル８が設けられている。図２に示すように、この操作パネル８の前面には、３桁の７セグメント表示器からなる表示装置４０、２桁の７セグメント表示器からなる番号表示部３５、表示装置４０に表示される番号を増減させるための増加キー４１と減少キー４２、番号表示部３５に表示される番号を増減させるための増加キー３７と減少キー３８、操作を確定するためのエンターキー５０、その他リセットキー３０、フィードキー３１、上糸カット＆セットキー３２、下糸カット＆セットキー３３、セレクトキー３４等が各々設けられている。
【００２２】
次に、ミシン１の電気的構成について説明する。図３は、ミシン１の電気的構成を示すブロック図であり、図４は、ＲＯＭ１３の記憶領域を示す概念図であり、図５は、フラッシュメモリ１５の記憶領域を示す概念図であり、図６は、制御用メモリＳＷ群の概念図であり、図７は、メモリＳＷ群リスト１５３１の概念図であり、図８は、ＩＣタグ番号テーブル１５４１の概念図である。
【００２３】
図３に示すように、ミシン１には、本発明に係るミシン制御装置１０が設けられている。このミシン制御装置１０には、ＣＰＵ１２と、ＲＯＭ１３と、ＲＡＭ１４と、電気的に書換え可能な不揮発性のフラッシュメモリ１５と、入力インターフェース１１と、出力インターフェース１７と、加工布や、糸等の縫製アイテム、又はユーザが個別に所有するカード等に付設されたＩＣタグ９から識別情報を読み取るためのＩＣタグ読取装置１６と、これらを相互に接続するデータバス等のバス１８と、駆動回路１９，２０，２１とが各々設けられている。
【００２４】
さらに、入力インターフェース１１には、ミシン１の起動及び停止を指示する起動停止スイッチ２２と、操作パネル８と、ミシンモータ２４の駆動軸（図示外）の回転角を検出するための回転位置検出センサ２３とが各々接続されている。出力インターフェース１７には、ミシンモータ２４を駆動するための駆動回路１９と、Ｘ軸送りモータ２５を駆動するための駆動回路２０と、Ｙ軸送りモータ２６を駆動するための駆動回路２１と、操作パネル８とが各々接続されている。
【００２５】
次に、ＲＯＭ１３及びＲＡＭ１４の記憶領域について説明する。図４に示すように、ＲＯＭ１３には、ミシン１の縫製動作を制御するための制御プログラムを記憶する制御プログラム記憶領域１３１と、ミシン１の動作条件に対応する各種メモリＳＷの設定値を変更するための設定値変更プログラムを記憶する設定値変更プログラム記憶領域１３２と、設定変更するメモリＳＷ群を選択するための変更メモリＳＷ群設定プログラムを記憶する変更メモリＳＷ群設定プログラム記憶領域１３３等と、等が各々設けられている。なお、ＲＡＭ１４には、縫製処理に際して必要な縫製位置、ＣＰＵ１２で演算処理された演算結果、ポインタ、カウンタ等を各々記憶する各種記憶領域が各々設けられている。
【００２６】
次に、フラッシュメモリ１５の記憶領域について説明する。図５に示すように、フラッシュメモリ１５には、ミシン１の各種動作が設定された複数のメモリＳＷからなる制御用メモリＳＷ群を記憶する制御用メモリＳＷ群記憶領域１５１と、デフォルトであるメモリＳＷ群０を記憶するデフォルト用メモリＳＷ群記憶領域１５２と、設定変更用の６つのメモリＳＷ群１〜６が設定されたメモリＳＷ群リスト１５３１を記憶するメモリＳＷ群リスト記憶領域１５３と、ＩＣタグ番号とメモリＳＷ群番号との対応関係を示すＩＣタグ番号テーブル１５４１を記憶するＩＣタグ番号テーブル記憶領域１５４と、等が各々設けられている。
【００２７】
次に、制御用メモリＳＷ群について説明する。図６に示すように、制御用メモリＳＷ群は、フラッシュメモリ１５の制御用メモリＳＷ群記憶領域１５１に設定され、メモリＳＷ番号が付された１０２個のメモリＳＷで構成されている。なお、メモリＳＷの個数は、これに限定されるものではない。そして、各メモリＳＷは、ミシン１の各種の動作条件に各々対応している。さらに、それらメモリＳＷには、各動作条件に関する設定値が各々設定されている。図６に示す制御用メモリＳＷ群では、メモリＳＷ番号１〜４のメモリＳＷには、縫い始めから１針毎のミシンモータ２４の回転速度（×１００ｒｐｍ）が各々設定されている。また、メモリＳＷ番号５〜８のメモリＳＷには、縫い始めから１針毎の布押え装置７の送りタイミングが、数値で各々設定されている。なお、メモリＳＷ番号９番以降のメモリＳＷについても同様に、ミシン１の各動作条件に対応する設定値が各々設定されている。
【００２８】
具体的には、メモリＳＷ番号１には「４」、メモリＳＷ番号２には「８」、メモリＳＷ番号３には「１０」、メモリＳＷ番号４には「２０」が設定されている。つまり、縫い始めの１針目で回転速度４００（ｒｐｍ）、２針目で回転速度８００（ｒｐｍ）、３針目で回転速度１０００（ｒｐｍ）、４針目で回転速度２０００（ｒｐｍ）となるように、ミシンモータ２４の回転速度が駆動制御される。これにより、ミシンモータ２４の駆動に連動する針棒６ａ及び縫針６ｂの移動速度が、縫い始めから急に高速で始まらないように、徐々に速度を上げながら縫製を実行することができる。
【００２９】
メモリＳＷ番号５〜８には、布押え装置７の送りタイミングが＋５〜−５の範囲内で設定されている。そして、送りタイミングがプラス側であればあるほど、針棒６ａ及び縫針６ｂに対して、布押え装置７を送るタイミングが早くなる。その逆に、送りタイミングがマイナス側であればあるほど、針棒６ａ及び縫針６ｂに対して、布押え装置７を送るタイミングが遅くなる。一般的に、送りタイミングを早くすると、加工布を完全に送ってから縫針６ｂが下降するので、模様精度は向上する。しかし、糸を天秤（図示外）によって急激に引っ張り上げるため、糸が屈曲して、糸の締まりが悪くなる傾向がある。これとは逆に、送りタイミングを遅くすると、糸の締まりは向上する。しかし、縫針６ｂが下降するタイミングが遅くなるので、模様精度が落ちる傾向がある。このような性質を有する送りタイミングを、加工布の種類（材質）、厚さ、糸の種類等によって変更することによって、加工布に適切な縫製を施すことができる。
【００３０】
次に、デフォルト用のメモリＳＷ群０について説明する。図示しないが、デフォルト用のメモリＳＷ群０は、メモリＳＷ群番号０が付され、フラッシュメモリ１５のデフォルト用メモリＳＷ群記憶領域１５２に記憶されている。そして、制御用メモリＳＷ群と同じメモリＳＷ番号が付された１０２個のメモリＳＷで構成されている。このデフォルト用のメモリＳＷ群０は、ミシン１の各種の動作条件の基準となる設定値が設定された１０２個のメモリＳＷで構成され、初期化される毎に、制御用メモリＳＷ群にコピーされる。
【００３１】
次に、メモリＳＷ群リスト１５３１について説明する。図７に示すように、メモリＳＷ群リスト１５３１には、制御用メモリＳＷ群を構成する複数のメモリＳＷの中で、設定内容を変更するメモリＳＷのみで構成され、メモリＳＷ群番号１〜６（図８参照）に対応する設定変更用のメモリＳＷ群１〜６が設定されている。そして、メモリＳＷ群１〜３は、メモリＳＷ番号１〜４の４つのメモリＳＷで構成され、メモリＳＷ群４〜６は、メモリＳＷ番号５〜８の４つのメモリＳＷで構成されている。なお、メモリＳＷ群１〜６のメモリＳＷ番号は、制御用メモリＳＷ群を構成するメモリＳＷのメモリＳＷ番号に対応している。したがって、メモリＳＷ群１〜３は、ミシンモータ２４の回転速度を設定する４つのメモリＳＷで構成され、メモリＳＷ群４〜６は、布押え装置７の送りタイミングを設定する４つのメモリＳＷで構成されている。
【００３２】
また、メモリＳＷ群１〜３において、４つのメモリＳＷの設定値の組合せは各々異なっている。例えば、メモリＳＷ群１では、メモリＳＷ番号１に「４」、メモリＳＷ番号２に「４」、メモリＳＷ番号３に「４」、メモリＳＷ番号４に「８」が設定されている。また、メモリＳＷ群２では、メモリＳＷ番号１に「４」、メモリＳＷ番号２に「８」、メモリＳＷ番号３に「２０」、メモリＳＷ番号４に「３２」が設定されている。さらに、メモリＳＷ群３では、メモリＳＷ番号１に「２０」、メモリＳＷ番号２に「３２」、メモリＳＷ番号３に「３２」、メモリＳＷ番号４に「３２」が設定されている。
【００３３】
即ち、メモリＳＷ群１は、縫い始めにおけるミシンモータ２４の回転速度を「低速」にするメモリＳＷ群であり、メモリＳＷ群２は、縫い始めにおけるミシンモータ２４の回転速度を「中速」にするメモリＳＷ群であり、メモリＳＷ群３は、縫い始めにおけるミシンモータ２４の回転速度を「高速」にするメモリＳＷ群である。よって、例えば、縫い始めのミシンモータ２４の回転速度を「低速」にしたい場合は、メモリＳＷ群リスト１５３１の中からメモリＳＷ群１を選択し、制御用メモリＳＷ群のメモリＳＷ番号１〜４のメモリＳＷの内容を、メモリＳＷ群１の内容に書き換えることによって、ミシンモータ２４の回転速度を「低速」に設定することができる。
【００３４】
また、メモリＳＷ群４〜６においても、４つのメモリＳＷの設定値の組合せは各々異なっている。例えば、メモリＳＷ群４では、メモリＳＷ番号５に「−５」、メモリＳＷ番号６に「−５」、メモリＳＷ番号７に「０」、メモリＳＷ番号８に「０」が設定されている。また、メモリＳＷ群５では、メモリＳＷ番号５に「５」、メモリＳＷ番号６に「５」、メモリＳＷ番号７に「５」、メモリＳＷ番号８に「５」が設定されている。さらに、メモリＳＷ群６では、メモリＳＷ番号５に「−５」、メモリＳＷ番号６に「−５」、メモリＳＷ番号７に「−５」、メモリＳＷ番号８に「−５」が設定されている。
【００３５】
即ち、メモリＳＷ群４は、布押え装置７の送りタイミングを「１針目と２針目を遅く」に設定するメモリＳＷ群であり、メモリＳＷ群５は、布押え装置７の送りタイミングを「早く」に設定するメモリＳＷ群であり、メモリＳＷ群６は、布押え装置７の送りタイミングを「遅く」に設定するメモリＳＷ群である。よって、例えば、縫い始めの布押え装置７の送りタイミングを「１針目と２針目を遅く」に設定したい場合は、メモリＳＷ群リスト１５３１の中からメモリＳＷ群４を選択し、制御用メモリＳＷ群のメモリＳＷ番号５〜６のメモリＳＷの内容を、メモリＳＷ群４の内容に書き換えることによって、布押え装置７の送りタイミングを「１針目と２針目を遅く」に設定することができる。なお、変更対象パラメータの組合せが異なるとは、メモリＳＷ群１〜３の設定値が異なることだけでなく、メモリＳＷ群１とメモリＳＷ群４とでは、メモリＳＷそのものが異なることも含むものである。
【００３６】
このように、メモリＳＷ群リスト１５３１から一のメモリＳＷ群を選択し、その選択されたメモリＳＷ群に従って、制御用メモリＳＷ群の内容を部分的に変更する。そして、設定変更の対象となるメモリＳＷの内容のみを変更し、設定変更の対象とならないメモリＳＷの内容は変更しない。つまり、メモリＳＷ群リスト１５３１には、制御用メモリＳＷ群の中で、設定変更したいメモリＳＷのみで構成したメモリＳＷ群を、複数のパターンで設定することができる。これにより、メモリＳＷ群リスト１５３１に設定される各メモリＳＷの数を必要最小限に留めることができるので、フラッシュメモリ１５のメモリＳＷ群リスト記憶領域１５３を節約できる。さらに、メモリＳＷ群リスト記憶領域１５３を節約することができるため、メモリＳＷ群のバリエーションをより多く記憶させることができる。これにより、ユーザ数や、縫製アイテム数が増えた場合でも対応可能である。また、メモリＳＷの組合せのパターンを種々変えて設定することができるので、ミシン１の動作条件をユーザの好みに応じて自由に設定することができる。
【００３７】
次に、ＩＣタグ番号テーブル１５４１について説明する。図８に示すように、ＩＣタグ番号テーブル１５４１には、ＩＣタグ読取装置１６に読み取られるＩＣタグ９のＩＣタグ番号と、そのＩＣタグ番号に対応する項目の設定名称と、メモリＳＷ群番号とが各々設定されている。さらに、ＩＣタグ９が読み取られない場合（−）に、メモリＳＷ群番号０が設定されている。このメモリＳＷ群番号０には、上記したデフォルト用のメモリＳＷ群０が設定されている。
【００３８】
そして、ＩＣタグ番号１〜３には、ユーザ名であるＡさん、Ｂさん、Ｃさんが各々設定されている。Ａさんには、ミシンモータ２４の回転速度を「低速」に設定するメモリＳＷ群１のメモリＳＷ番号１が設定されている。Ｂさんには、ミシンモータ２４の回転速度を「中速」に設定するメモリＳＷ群２のメモリＳＷ群番号２が設定されている。Ｃさんには、Ａさんと同じミシンモータ２４の回転速度を「低速」に設定するメモリＳＷ群１のメモリＳＷ群番号１が設定されている。
【００３９】
例えば、ミシン操作の初心者のＡさんが所有するＩＤカードを、ＩＣタグ読取装置１６にかざすと、ＩＤカードに付設されたＩＣタグ９の識別情報が、ＩＣタグ読取装置１６に読み取られる。次いで、その読み取られた識別情報からＩＣタグ番号１が認識されると、ＩＣタグ番号１に対応するメモリＳＷ群番号１が選択され、メモリＳＷ群１が呼び出される。そして、制御用メモリＳＷ群のメモリＳＷ番号１〜４のメモリＳＷの内容が、メモリＳＷ群１の内容に書き換わることによって、ミシンモータ２４の回転速度を「低速」に設定することができる。つまり、Ａさん、Ｂさん、Ｃさんの中の誰がミシン１を使用するかによって、縫い始めにおけるミシンモータ２４の回転速度が自動的に切り換わるようになっている。
【００４０】
また、ＩＣタグ番号４〜６には、加工布の種類や厚さ、糸の種類等である縫製アイテム１、縫製アイテム２、縫製アイテム３が各々設定されている。縫製アイテム１には、ミシンモータ２４の回転速度を「低速」に設定するメモリＳＷ群番号１が設定されている。縫製アイテム２には、布押え装置７の送りタイミングを「１針目と２針目をやや遅く」に設定するメモリＳＷ群番号４が設定されている。縫製アイテム３には、布押え装置７の送りタイミングを「遅く」に設定するメモリＳＷ群番号６が設定されている。例えば、縫製アイテム３の布に付されたＩＣタグ９のＩＣタグ番号６が、ＩＣタグ読取装置１６に読み取られて認識されると、メモリＳＷ群番号６が選択される。
【００４１】
このように、ＩＣタグ読取装置１６によって、ユーザのＩＤカードや、縫製アイテムに付設されたＩＣタグ９のＩＣタグ番号を読み取り、制御用メモリＳＷ群の内容を、読み取られたＩＣタグ番号に対応するメモリＳＷ群番号のメモリＳＷ群の内容に自動的に書き換えることができる。これにより、設定変更するメモリＳＷ群を、操作パネル８で選択しなくても、登録されたユーザ、登録された縫製アイテムに応じて、ミシン１の動作条件を自動的に変更することができる。
【００４２】
次に、ＣＰＵ１２によるミシン１の制御動作について、図９乃至図１３のフローチャートを参照して説明する。図９は、ＣＰＵ１２によるミシン１の制御動作を示すメインのフローチャートであり、図１０は、図９の続きを示すフローチャートであり、図１１は、設定値変更処理のフローチャートであり、図１２は、変更メモリＳＷ群設定処理のフローチャートであり、図１３は、制御用メモリＳＷ群におけるメモリＳＷ（メモリＳＷ群１に対応するメモリＳＷ）の変更態様を示す説明図であり、図１４は、制御用メモリＳＷ群におけるメモリＳＷ（メモリＳＷ群５に対応するメモリＳＷ）の変更態様を示す説明図である。
【００４３】
図９に示すように、まず、ミシン１の電源がオンされると、初期化を行う。ここでは、フラッシュメモリ１５の制御用メモリＳＷ群記憶領域１５１に、デフォルト用メモリＳＷ群０を設定する（Ｓ１）。次いで、ＩＣタグ読取装置１６が作動しているか否かを判断する（Ｓ２）。例えば、登録ユーザのＡさんが所有するＩＤカードを、ＩＣタグ読取装置１６にかざすと、ＩＣタグ読取装置１６が作動するので（Ｓ２：ＹＥＳ）、そのＩＤカードに付設されたＩＣタグ９のＩＣタグ番号を読み込む（Ｓ３）。ここで、Ａさんの所有するＩＤカードに付されたＩＣタグ９のＩＣタグ番号は１である。よって、フラッシュメモリ１５に記憶されたＩＣタグ番号テーブル１５４１から、ＩＣタグ番号１に対応するメモリＳＷ群番号１を選択し、メモリＳＷ群リスト１５３１から、メモリＳＷ群番号１に対応するメモリＳＷ群１を選択する（Ｓ４）。
【００４４】
そして、フラッシュメモリ１５に記憶された制御用メモリＳＷ群において、メモリＳＷ群１に対応するメモリＳＷの設定値のみを、メモリＳＷ群１のメモリＳＷの設定値に変更する（Ｓ５）。図１３に示すように、例えば、メモリＳＷ群１を構成するメモリＳＷのメモリＳＷ番号は１〜４であるので、制御用メモリＳＷ群のメモリＳＷ番号１〜４に相当するメモリＳＷの設定値だけを、メモリＳＷ群１のメモリＳＷの設定値に変更する。これにより、制御用メモリＳＷ群のメモリＳＷ番号１〜４に相当するメモリＳＷの設定値は、「４」、「８」、「１０」、「２０」から、「４」、「４」、「４」、「８」に変更される。なお、メモリＳＷ番号５以降は変更しないので、デフォルトのままである。
【００４５】
次いで、設定値変更モードか否かを判断する（Ｓ６）。この設定値変更モードは、所望のメモリＳＷ群に属するメモリＳＷの設定値を、個別に変更できるモードである。設定変更モードは、図２に示す操作パネル８のセレクトキー３４を押下し、「ＡＤＪＵＳＴ」の文字の横に設けられたＬＥＤが点灯した状態で、エンターキー５０を押下することによってモード設定される。そして、設定値変更モードが設定された場合（Ｓ６：ＹＥＳ）、ＲＯＭ１３に記憶された設定値変更プログラムを読み込んで、設定変更処理を実行する（Ｓ７）。
【００４６】
次に、設定変更処理について説明する。図１１に示すように、まず、番号表示部３５にメモリＳＷ群番号を表示する（Ｓ４１）。そして、増加キー３７又は減少キー３８が押下されたか否かを判断する（Ｓ４２）。増加キー３７が押下された場合は（Ｓ４２：ＹＥＳ）、番号表示部３５に表示された番号を１つ繰り上げて再表示する（Ｓ４１）。減少キー３８が押下された場合は（Ｓ４２：ＹＥＳ）、番号表示部３５に表示された番号を１つ繰り下げて再表示する（Ｓ４１）。増加キー３７及び減少キー３８の何れも押下されない場合（Ｓ４２：ＮＯ）、エンターキー５０が押下されたか否かを判断する（Ｓ４３）。エンターキー５０が押下されない場合は（Ｓ４３：ＮＯ）、Ｓ４１に戻って、番号表示部３５にメモリＳＷ群の番号を引き続き表示しながら、増加キー３７又は減少キー３８、エンターキー５０の押下を監視する（Ｓ４２，Ｓ４３）。
【００４７】
例えば、メモリＳＷ群１に属するメモリＳＷ番号４のメモリＳＷの設定値を変更する場合について説明する。この場合、ユーザは、番号表示部３５に「１」を表示させた状態で、エンターキー５０を押下する。そして、エンターキー５０が押下されると（Ｓ４３：ＹＥＳ）、メモリＳＷ群１が確定する。次いで、メモリＳＷ群１のメモリＳＷ番号を、番号表示部３５に表示する（Ｓ４４）。そして、増加キー３７又は減少キー３８が押下されたか否かを判断する（Ｓ４５）。増加キー３７が押下された場合は（Ｓ４５：ＹＥＳ）、番号表示部３５に表示された番号を１つ繰り上げて再表示する（Ｓ４４）。減少キー３８が押下された場合は（Ｓ４５：ＹＥＳ）、表示装置４０に表示された番号を１つ繰り下げて再表示する（Ｓ４４）。増加キー３７及び減少キー３８の何れも押下されない場合（Ｓ４５：ＮＯ）、エンターキー５０が押下されたか否かを判断する（Ｓ４６）。エンターキー５０が押下されない場合は（Ｓ４６：ＮＯ）、Ｓ４４に戻って、番号表示部３５にメモリＳＷ番号を表示しながら、増加キー３７又は減少キー３８、エンターキー５０の押下を監視する（Ｓ４５，Ｓ４６）。
【００４８】
そして、番号表示部３５に「４」が表示された状態で、エンターキー５０が押下されると（Ｓ４６：ＹＥＳ）、表示装置４０に、メモリＳＷ番号４のメモリＳＷの設定値を表示する（Ｓ４７）。例えば、メモリＳＷ番号４のメモリＳＷの現在の設定値が「２０」である場合、表示装置４０には「２０」が表示される。そして、増加キー４１又は減少キー４２が押下されたか否かを判断する（Ｓ４８）。増加キー４１が押下された場合は（Ｓ４８：ＹＥＳ）、表示装置４０に表示された番号を１つ繰り上げて再表示する（Ｓ４７）。減少キー４２が押下された場合は（Ｓ４８：ＹＥＳ）、表示装置４０に表示された番号を１つ繰り下げて再表示する（Ｓ４７）。増加キー４１及び減少キー４２の何れも押下されない場合（Ｓ４８：ＮＯ）、エンターキー５０が押下されたか否かを判断する（Ｓ４９）。エンターキー５０が押下されない場合は（Ｓ４９：ＮＯ）、Ｓ４７に戻って、表示装置４０に設定値を表示ながら、増加キー４１又は減少キー４２、エンターキー５０の押下を監視する（Ｓ４８，Ｓ４９）。
【００４９】
そして、例えば、表示装置４０に「１０」が表示された状態で、エンターキー５０が押下されると（Ｓ４９：ＹＥＳ）、メモリＳＷ番号４に対応するメモリＳＷの内容が「１０」に変更される（Ｓ５０）。つまり、メモリＳＷ群リスト１５３１に設定されたメモリＳＷ群１に属するメモリＳＷ番号４のメモリＳＷの設定値が「２０」から「１０」に変更される。
【００５０】
続いて、設定変更モードが終了したか否かを判断する（Ｓ５１）。設定変更モードを終了する場合は、セレクトキー３４を押下して、「ＡＤＪＵＳＴ」の横のＬＥＤを消灯させることによって終了する。なお、設定変更モード中の場合（Ｓ５１：ＮＯ）、番号表示部３５にメモリＳＷ群の番号を表示して（Ｓ４４）、待機状態にする。そして、設定変更モードが終了した場合は（Ｓ５１：ＹＥＳ）、図９のフローに戻って、Ｓ８に移行する。
【００５１】
次いで、メモリＳＷ群選択モードか否かを判断する（Ｓ８）。このメモリＳＷ群選択モードは、フラッシュメモリ１５に記憶されたメモリＳＷ群リスト１５３１の中から、設定変更したいメモリＳＷ群を自ら設定し、制御用メモリＳＷ群の内容を変更できるモードである。メモリＳＷ群選択モードは、操作パネル８のセレクトキー３４を押下して、「ＡＤＪＵＳＴ」の文字の横に設けられたＬＥＤが点灯した状態で、エンターキー５０を二度押しすることによって設定される。そして、メモリＳＷ群選択モードが設定された場合（Ｓ８：ＹＥＳ）、ＲＯＭ１３に記憶された変更メモリＳＷ群設定プログラムを読み込んで、変更メモリＳＷ群設定処理を実行する（Ｓ９）。
【００５２】
次に、変更メモリＳＷ群設定処理について説明する。図１２に示すように、まず、番号表示部３５にメモリＳＷ群番号を表示する（Ｓ５５）。そして、増加キー３７又は減少キー３８が押下されたか否かを判断する（Ｓ５６）。増加キー３７が押下された場合は（Ｓ５６：ＹＥＳ）、番号表示部３５に表示された番号を１つ繰り上げて再表示する（Ｓ５５）。減少キー３８が押下された場合は（Ｓ５６：ＹＥＳ）、番号表示部３５に表示された番号を１つ繰り下げて再表示する（Ｓ５５）。増加キー３７及び減少キー３８の何れも押下されない場合（Ｓ５６：ＮＯ）、エンターキー５０が押下されたか否かを判断する（Ｓ５７）。エンターキー５０が押下されない場合は（Ｓ５７：ＮＯ）、Ｓ５５に戻って、番号表示部３５にメモリＳＷ群番号を引き続き表示しながら、増加キー３７又は減少キー３８、エンターキー５０の押下を監視する（Ｓ５６，Ｓ５７）。
【００５３】
例えば、布押え装置７の送りタイミングを「早い」に変更する場合について説明する。この場合、番号表示部３５に「５」を表示させた状態で、エンターキー５０を押下する。そして、エンターキー５０が押下されると（Ｓ５７：ＹＥＳ）、メモリＳＷ群リスト１５３１の中からメモリＳＷ群５が選択される（Ｓ５８）。次いで、制御用メモリＳＷ群において、メモリＳＷ群５に対応するメモリＳＷの設定値のみを、メモリＳＷ群５のメモリＳＷの設定値に変更する（Ｓ５９）。図１４に示すように、メモリＳＷ群５を構成する４つのメモリＳＷ番号は５〜８であるので、制御用メモリＳＷ群のメモリＳＷ番号５〜８に相当するメモリＳＷの設定値だけを、メモリＳＷ群５の設定値に変更する。これにより、制御用メモリＳＷ群のメモリＳＷ番号５〜８に相当するメモリＳＷの設定値は、「０」、「０」、「０」、「０」から、「５」、「５」、「５」、「５」に変更される。なお、メモリＳＷ番号１〜４のメモリＳＷの内容は、ＡさんのＩＣタグ９に応じて変更されているので、メモリＳＷ番号９以降はデフォルトのままである。
【００５４】
なお、ＩＣタグ読取装置１６が作動しない場合は（Ｓ２：ＮＯ）、登録されたユーザではなく、登録された縫製アイテムでもないので、制御用メモリＳＷ群はデフォルトのメモリＳＷ群０のままで、設定値変更モードが選択されたか（Ｓ６）、メモリＳＷ群設定モードが選択されたか（Ｓ８）をそれぞれ判断する。そして、設定変更モード、メモリＳＷ群設定モードの何れも設定されない場合は、（Ｓ６：ＮＯ、Ｓ８：ＮＯ）、制御用メモリＳＷ群はデフォルトのままである。
【００５５】
次いで、起動停止スイッチ２２がオンされたか否かを判断する（Ｓ１０）。起動停止スイッチがオンされない間は（Ｓ１０：ＮＯ）、Ｓ２に戻って、ＩＣタグ読取装置１６の作動の判断（Ｓ２）、設定値変更モードの判断（Ｓ６）、メモリＳＷ群設定モードの判断（Ｓ８）がなされ、制御用メモリＳＷ群の内容を決定する。そして、起動停止スイッチ２２がオンされた場合（Ｓ１０：ＹＥＳ）、制御用メモリＳＷ群の内容に従って、ミシン１の縫製処理を実行する（Ｓ１１）。なお、縫製処理は、フラッシュメモリ１５に記憶された縫製データに基づいて実行される。さらに、Ｓ１とＳ２との間に、フラッシュメモリ１５に記憶された複数の縫製データの中から縫製を実行する縫製データを選択する処理を入れてもよい。
【００５６】
次に、縫製処理について説明する。図１０に示すように、まず、縫製開始から１針目か、２針目か、３針目か、４針目か、５針目かを判断する（Ｓ１５〜Ｓ１８）。この縫製開始からの１針毎のカウントは、針棒６ａ及び縫針６ｂの上下動をカウンタでカウントすることによって検出する。なお、針棒６ａ及び縫針６ｂの位置検出は、ミシンモータ２４の駆動軸の回転角を、回転位置検出センサ２３で検出することによって可能である。
【００５７】
そして、縫製開始から１針目である場合は（Ｓ１５：ＹＥＳ）、ミシンモータ２４の回転速度（縫製速度）を、制御用メモリＳＷ群のメモリＳＷ番号１に相当するメモリＳＷの設定値に設定する（Ｓ１９）。つまり、図１４に示すように、４００ｒｐｍに設定する。次いで、布押え装置７の送りタイミングを、メモリＳＷ番号５に相当するメモリＳＷの設定値に設定する（Ｓ２０）。つまり、＋５（早い）に設定する。
【００５８】
縫製開始から２針目である場合は（Ｓ１５：ＮＯ、Ｓ１６：ＹＥＳ）、ミシンモータ２４の回転速度を、制御用メモリＳＷ群のメモリＳＷ番号２に相当するメモリＳＷの設定値に設定する（Ｓ２１）。つまり、４００ｒｐｍに設定する。次いで、布押え装置７の送りタイミングを、メモリＳＷ番号６に相当するメモリＳＷの設定値に設定する（Ｓ２２）。つまり、＋５（早い）に設定する。
【００５９】
縫製開始から３針目である場合は（Ｓ１５：ＮＯ、Ｓ１６：ＮＯ、Ｓ１７：ＹＥＳ）、ミシンモータ２４の回転速度を、制御用メモリＳＷ群のメモリＳＷ番号３に相当するメモリＳＷの設定値に設定する（Ｓ２３）。つまり、４００ｒｐｍに設定する。次いで、布押え装置７の送りタイミングを、メモリＳＷ番号７に相当するメモリＳＷの設定値に設定する（Ｓ２４）。つまり、＋５（早い）に設定する。
【００６０】
縫製開始から４針目である場合は（Ｓ１５：ＮＯ、Ｓ１６：ＮＯ、Ｓ１７：ＮＯ、Ｓ１８：ＹＥＳ）、ミシンモータ２４の回転速度を、制御用メモリＳＷ群のメモリＳＷ番号４に相当するメモリＳＷの設定値に設定する（Ｓ２５）。つまり、８００ｒｐｍに設定する。次いで、布押え装置７の送りタイミングを、メモリＳＷ番号８に相当するメモリＳＷの設定値に設定する（Ｓ２６）。つまり、＋５（早い）に設定する。
【００６１】
縫製開始から５針目以降である場合は（Ｓ１５：ＮＯ、Ｓ１６：ＮＯ、Ｓ１７：ＮＯ、Ｓ１８：ＮＯ）、ミシンモータ２４の回転速度を、制御用メモリＳＷ群のメモリＳＷ番号９に相当するメモリＳＷの設定値に設定する（Ｓ２７）。つまり、３２００ｒｐｍに設定する。次いで、布押え装置７の送りタイミングを、メモリＳＷ番号１０に相当するメモリＳＷの設定値に設定する（Ｓ２８）。つまり、０（通常）に設定する。
【００６２】
そして、上記のように、制御用メモリＳＷ群で設定されたミシンモータ２４の回転速度に従って、ミシンモータ２４の駆動軸を回転させる（Ｓ２９）。これに伴って、針棒６ａ及び縫針６ｂが上下に往復移動をする。さらに、制御用メモリＳＷ群で設定された布押え装置７の送りタイミングに従って、布押え装置７を送る（Ｓ３０）。こうして、制御用メモリＳＷ群に設定された内容で、所望の縫製パターンに沿って縫製動作が実行される。
【００６３】
そして、縫製動作が終了か否かを判断する（Ｓ３１）。ここで、縫製動作がまだ終了していない場合は（Ｓ３１：ＮＯ）、Ｓ１５に戻って、縫製開始から何針目であるかによって、再度、ミシンモータ２４の回転速度、布押え装置７の送りタイミングが設定され、縫製動作を継続する。そして、縫製動作が終了したら（Ｓ３１：ＹＥＳ）、Ｓ２の処理に移行する。
【００６４】
なお、以上の説明において、ミシン１の動作条件を設定するためのメモリＳＷが本発明の「パラメータ」に相当し、メモリＳＷ群が本発明の「パラメータ群」に相当し、図５に示すフラッシュメモリ１５の制御用メモリＳＷ群記憶領域１５１が本発明の「第１記憶手段」に相当し、メモリＳＷ群リスト記憶領域１５３が本発明の「第２記憶手段」に相当する。さらに、図９に示すＳ３の処理を実行するＣＰＵ１２が本発明の「識別番号読取手段」に相当し、図９に示すＳ４，図１２に示すＳ５８の処理を実行するＣＰＵ１２が本発明の「選択手段」に相当し、図９に示すＳ５，図１２に示すＳ５９の処理を実行するＣＰＵ１２が本発明の「変更手段」に相当する。また、図１１に示すＳ４４〜Ｓ４６の処理を実行するＣＰＵ１２が本発明の「設定手段」に相当する。
【００６５】
以上説明したように、本実施形態のミシン制御装置１０では、ミシン１の動作条件を設定する制御用メモリＳＷ群がフラッシュメモリ１５に記憶されている。そして、その制御用メモリＳＷ群の内容に従って、ＣＰＵ１２がミシンモータ２４の回転数や、布送り装置７の送りタイミング等を制御する。このフラッシュメモリ１５には、メモリＳＷ群リスト１５３１が記憶されている。さらに、メモリＳＷ群リスト１５３１には、制御用メモリＳＷ群の内容を変更するために、設定変更したいメモリＳＷのみで構成されたメモリＳＷ群が複数設定されている。
【００６６】
そして、ユーザや、縫製アイテムによって、制御用メモリＳＷ群の内容を変更する場合、制御用メモリＳＷ群の内容を全て書き換えるのはなく、メモリＳＷ群リスト１５３１の中から選択したメモリＳＷ群のメモリＳＷに該当する部分だけを変更する。これにより、制御用メモリＳＷ群の内容を、効率的かつ迅速に変更できる。また、制御用メモリＳＷ群は、選択されたメモリＳＷ群のメモリＳＷの内容のみが変更され、設定変更の対象とならないメモリＳＷの内容は変更されない。つまり、メモリＳＷ群リスト１５３１には、制御用メモリＳＷ群の中で、設定変更したいメモリＳＷのみで構成したメモリＳＷ群を複数のパターンで設定できる。これにより、メモリＳＷ群リスト１５３１に設定される各メモリＳＷの数を必要最小限に留めることができるので、フラッシュメモリ１５のメモリＳＷ群リスト記憶領域１５３を節約することができる。
【００６７】
また、ＩＣタグ読取装置１６によって、ユーザのＩＤカードや、縫製アイテムに付設されたＩＣタグ９のＩＣタグ番号を読み取り、制御用メモリＳＷ群の内容を、読み取られたＩＣタグ番号に対応するメモリＳＷ群番号のメモリＳＷ群の内容に自動的に書き換えることができる。これにより、設定変更するメモリＳＷ群を、操作パネル８で選択しなくても、登録されたユーザ、登録された縫製アイテムに応じて、ミシン１の動作条件を自動的に変更することができる。
【００６８】
なお、本発明のミシン制御装置は、上記実施形態に限定されるものではなく、種々の変更が可能である。上記実施形態では、６つのメモリＳＷ群１〜６をメモリＳＷ群リスト１５３１に設定したが、これより多くのメモリＳＷ群を設定することも当然可能である。さらに、メモリＳＷ群１〜６を構成するメモリＳＷの数についても、互いに異なり数を設定してもよい。
【００６９】
さらに、上記実施形態では、１のメモリＳＷ群に対し、１のミシン１の動作条件が設定されているが、１のメモリＳＷ群の中に、複数の動作条件を設定するようにしてもよい。
【００７０】
また、上記実施形態では、説明の便宜上、メモリＳＷに設定されるミシン１の動作条件として、ミシンモータ２４の回転数や、布送り装置７の送りタイミング等を一例として設定したが、その他の動作条件を設定することも可能である。
【００７１】
さらに、上記実施形態では、メモリＳＷ群リスト１５３１に設定されたメモリＳＷ群０〜６は、ユーザ毎、縫製アイテム毎に各々設定したが、例えば、ミシン１の機種毎に設定することも可能である。
【００７２】
また、メモリＳＷに設定される設定値に、最大値及び最小値を設定し、その範囲内で設定値が設定されるようにしてもよい。
【００７３】
さらに、上記実施形態では、Ｓ５９の処理において、制御用メモリＳＷ群のメモリＳＷ群に対応するメモリＳＷの設定値のみを、メモリＳＷ群のメモリＳＷの設定値に変更しているが、変更する前に、制御用メモリＳＷ群にデフォルト用メモリＳＷ群を設定するのが好ましい。
【００７４】
また、前回変更したメモリＳＷ群を記憶しておき、そのメモリＳＷ群のメモリＳＷのみデフォルト用メモリＳＷに設定するようにしてもよい。
【産業上の利用可能性】
【００７５】
本発明のミシン制御装置は、工業用ミシンに限らず、家庭用ミシンにも適用可能である。
【図面の簡単な説明】
【００７６】
【図１】ミシン１の全体斜視図である。
【図２】操作パネル８の正面図である。
【図３】ミシン１の電気的構成を示すブロック図である。
【図４】ＲＯＭ１３の記憶領域を示す概念図である。
【図５】フラッシュメモリ１５の記憶領域を示す概念図である。
【図６】デフォルトであるメモリＳＷ群０の概念図である。
【図７】メモリＳＷ群リスト１５３１の概念図である。
【図８】ＩＣタグ番号テーブル１５４１の概念図である。
【図９】ＣＰＵ１２によるミシン１の制御動作を示すメインのフローチャートである。
【図１０】図９の続きを示すフローチャートである。
【図１１】設定値変更処理のフローチャートである。
【図１２】変更メモリＳＷ群設定処理のフローチャートである。
【図１３】制御用メモリＳＷ群におけるメモリＳＷ（メモリＳＷ群１に対応するメモリＳＷ）の変更態様を示す説明図である。
【図１４】制御用メモリＳＷ群におけるメモリＳＷ（メモリＳＷ群５に対応するメモリＳＷ）の変更態様を示す説明図である。
【符号の説明】
【００７７】
１    ミシン
７    布押え装置
８    操作パネル
９    ＩＣタグ
１０    ミシン制御装置
１２    ＣＰＵ
１３    ＲＯＭ
１５    フラッシュメモリ
１６    ＩＣタグ読取装置
２４    ミシンモータ
１５１    制御用メモリＳＷ群記憶領域
１５２    デフォルト用メモリＳＷ群記憶領域
１５３    メモリＳＷ群リスト記憶領域
１５４    ＩＣタグ番号テーブル記憶領域
【図１】
2008272345.tif 000003
【図２】
2008272345.tif 000004
【図３】
2008272345.tif 000005
【図４】
2008272345.tif 000006
【図５】
2008272345.tif 000007
【図６】
2008272345.tif 000008
【図７】
2008272345.tif 000009
【図８】
2008272345.tif 000010
【図９】
2008272345.tif 000011
【図１０】
2008272345.tif 000012
【図１１】
2008272345.tif 000013
【図１２】
2008272345.tif 000014
【図１３】
2008272345.tif 000015
【図１４】
2008272345.tif 000016